Podtech/llm-jp-corpus-v4-ja_patent huggingface dataset:
(57)【要約】【課題】  本発明は、従来型男性用下着トランクスにおいて、着用時の不快感を解消し、快適で衛生的な男性用下着トランクスを提供する。【解決手段】従来型男性用下着トランクスと、その内側の中布とで構成される。中布は伸縮性に富んだ生地を使用し、前ウエストから腹部を覆い尻ラインに沿って後ろウエストまで立体的にフィットするよう生地を切り替え縫製し、男性器を挿通させる筒状の立ち上がりのある開口部を設ける。これにより、男性器と大腿部等の皮膚との接触を防ぎ通気性を良好にし、また伸縮性のある生地を使用し立体的に切り替え縫製することにより運動等による男性器の離脱を防ぎ体型にフィットする。【選択図】図１
2006265807.tif 000002
【特許請求の範囲】
【請求項１】
トランクス本体の内側に、男性器を挿通させる筒状の立ち上がりのある開口部を設けた前ウエストから後ろウエストまでを介する仕切り布を有することを特徴とする男性用トランクス。
【請求項２】
トランクス本体の前部左右に手の入る大きさの縦スリットが設けられた請求項１記載の男性用トランクス。
【発明の詳細な説明】
【技術分野】
【０００１】  本発明は、男性用下着のトランクスに関する。
【背景技術】
【０００２】  従来の男性用下着トランクスには、開口を介して男性器を挿通させ男性器と大腿との間を仕切る為の仕切り布をトランクス内側の前部に配置されたものがある。（例えば、特許文献１参照）また、トランクス本体の内側に前面に穴を開けて陰茎を突出自在とした補助パンツを縫製したトランクスもある。（例えば、特許文献２参照）【０００３】  以下、従来の男性用下着トランクスについて説明する。特許文献１においては、開口を介して男性器を挿通させ、該睾丸部と大腿との間を仕切るように常時介在する仕切り布をトランクス内側の前部に下端側が自由状態となるように吊支状に配置され、一端側が仕切り布に固定されその延長側が股の間を通り、他端側がトランクスの背面側に固定される仕切り布による仕切り状態保持用紐が取り付けられている。特許文献２においては、トランクス本体の裏側上縁側に男性器を覆う大きさの補助パンツを縫製し、補助パンツの前面に穴を開けて陰茎を突出自在としたトランクスである。
【特許文献１】特開２００４−２７００６３
【特許文献２】特開２００４−２２５２２８
【発明の開示】
【発明が解決しようとする課題】
【０００４】  以上に述べた従来の男性用下着トランクスは、男性器を挿通させる穴を設け男性器と大腿を仕切る布を取り付けてはあるものの、実際に着用した際、常時男性器は大腿部等の皮膚と接触状態にあり、運動等によりさらに密着度が増し、不快感および衛生面にも問題があり、実用上効果が低いものであった。【０００５】  本発明は、このような従来の構成が有していた問題を解決しようとするものであり、男性器と大腿部等の皮膚を完全に隔離し通気性を良好にすることにより汗等の不快感を解消し、また着用時の男性器の安定感を保持し体型にフィットするトランクスを実現することを目的とする。
【課題を解決するための手段】
【０００６】  本発明は上記課題を解決するために、従来の男性用下着トランクスにおいて、前ウエストより腹部・尻・後ろウエストまでを覆い、前部に男性器を挿通させる開口部が設けられた中布とで構成される。トランクス本体前部に左右縦スリットを設ける。トランクス本体及び中布は通気性・吸水性に富んだ綿素材を基本とし、中布においては伸縮性のある生地で、サイズは体型に応じて任意に設計される。【０００７】  トランクス本体には、前部中心より１１ｃｍ〜１２ｃｍ左右対称位置にウエストから下方３ｃｍより手の入る大きさの縦スリットを設ける。着用時、左右側面より男性器が見えることを防ぐ為、右スリットは右上・左スリットは左上となるよう各々幅２ｃｍの重なりを設ける。【０００８】  中布は前ウエストより腹部を覆い前大腿部までの前部仕切り布と、男性器下部より尻を介し後ろウエストまでの後部中布とで構成される。前部仕切り布の長さは、前ウエストより腹部を覆いトランクス本体の裾までとし、幅はトランクス本体の前部縦スリットの右側から左側までの長さとする。前部中央にウエストゴムから下方１１ｃｍ〜１３ｃｍの位置より縦８ｃｍ〜９ｃｍ・横４ｃｍ〜５ｃｍの楕円形の開口部を設け、円周２０ｃｍ〜２２ｃｍ・幅１．５ｃｍ〜２ｃｍの筒状の立ち上がりを縫製する。立ち上がりは男性器の運動に支障のない伸縮に富んだフィット感のある生地とする。前大腿部分は脚の運動が容易になるよう立ち上がり下部１ｃｍ下から裾に向かって幅４ｃｍ〜５ｃｍで逆Ｕ字にカットされた設計とする。【０００９】  後部中布の長さは、男性器付け根下部よりお尻を介して後ろウエストまでとし、幅は股幅７ｃｍ〜８ｃｍ・尻から後ろウエストまでは１３ｃｍ〜１５ｃｍで男性器付け根下部より尻まで自然に曲線カットされる。【００１０】  前部仕切り布の股部分と、後部中布の股部分を縫製する。トランクス本体と中布の前後ウエスト部分はゴム縫製時に一緒に縫製する。トランクス本体の前部左右縦スリットの外側と中布前部仕切り布の左右の端をウエストより裾まで縫製し、男性器と腹部及び大腿部を隔離する空間を確保する。後部中布はトランクス本体と中布の左右の端をウエストより尻曲線の上まで縫製する。
【発明の効果】
【００１１】  本発明の男性用下着トランクスは、男性器を挿通する筒状の立ち上がりのある開口部と前大腿部仕切り布を設けた中布を取り付けることにより、男性器が大腿部等の皮膚から完全に隔離されると共に男性器の安定性が確保され通気性がよくあせも等の不快感がなくなる。また、伸縮性のある生地を使用し立体的な構造であるので、着用時の運動等による男性器の離脱を防ぎ運動等がスムーズになりフィット感が生まれる。【００１２】  トランクス本体に左右から手の入るスリットを設けることにより、着用時、男性器の状態の修正が容易になると共に、通気性を良好にする。
【図面の簡単な説明】
【００１３】
【図１】本発明のトランクスの部分斜視図
【図２】同トランクスの正面説明図
【図３】同トランクスの内部正面図
【図４】同トランクスの内部背面図
【図５】同トランクスの図２におけるＡ−Ａ縦断面図
【図６】同トランクスの図２におけるＢ−Ｂ横断面図
【符号の説明】
【００１４】  １  トランクス本体
２  ウエストゴム
３  トランクス本体前部右スリット
４  トランクス本体前部左スリット
５  前部仕切り布
６  後部中布
７  男性器挿通開口部
８  開口部立ち上がり
９  右前大腿部仕切り布
１０  左前大腿部仕切り布
１１  脚付け根ライン
【図１】
2006265807.tif 000003
【図２】
2006265807.tif 000004
【図３】
2006265807.tif 000005
【図４】
2006265807.tif 000006
【図５】
2006265807.tif 000007
【図６】
2006265807.tif 000008
(57)【要約】      （修正有）【課題】衣服の更衣の際、誤ってボタンどめをする事のないものである。通常は上下のボタンは同一のものでボタンホールにとめるだけのものである。しかし子供や障害（児）者では衣服全体を手繰り寄せる事が多く、その状態ではどのボタンとボタンホールが正しいのかが分かりづらくなる事が多い。そこで合致するボタンとボタンホールに同一の色・絵柄を合わせる事で判断しやすくなる。また１段下がるごとに違う色・絵柄をつけ上下の区別ができるようにする。【解決手段】ボタン（１）の色・絵柄とそれをとめるボタンホール（２）に同じ色・絵柄をつける。また１段下がるごとに違った色・絵柄を作製。【選択図】図１
2006265803.tif 000002
【特許請求の範囲】
【請求項１】
ボタンをとめる際、ボタン（１）とボタンホール（２）に同じ色・絵柄をデザインする事で上下の間違いをなくす。
【請求項２】
衣服にあるボタンは全て違う色・絵柄にし、その色・絵柄のボタンに合わせてボタンホールにも同色・同絵柄をデザインする。
【発明の詳細な説明】
【発明の詳細な説明】
【技術分野】
【００１】  この発明は衣服の更衣の際、誤って上下にボタンをとめてしまう事があるため、その様な失敗を防ぐものである。また子供や障害（児）者でも失敗がなくなり、自信を持って衣服の更衣ができるものである。
【背景技術】
【００２】  従来、衣服の更衣は上下のボタンどめを失敗しないように、自ら全てのボタンどめを行なった後、再確認が必要とされてきた。
【発明が解決しようとする課題】
【００３】  衣服を更衣する際、子供や障害（児）者は衣服全体を手繰り寄せ自らの感覚でボタンどめを行なう事が多かった。そのため上下を間違えてボタンどめをしてしまうケースがあり正しい更衣が難しかった。また大人でも同様の事が言える場合があり、その様な問題を解決するものである。
【課題を解決する手段】
【００４】  ボタン（１）の色・絵柄と、それをとめるボタンホール（２）に同じ色・絵柄をつける。また１段下がるごとに違った色・絵柄を作製。
本発明は以上の構成によりボタンどめの間違いを防止するものである。
【発明を実施するための最良の形態】
【００５】  以下、本発明の実施の形態を説明。
（イ）ボタン（１）とボタンホール（２）を同じ色・絵柄に統一する
（ロ）ボタン（１）・（３）・（５）・（７）ボタンホール（２）・（４）・（６）・（８）のように１段下がるごとに違った色・絵柄で作製。
【発明の効果】
【００６】  本発明を使用する事で毎日の衣服の更衣に間違う事を防止でき、子供や障害（児）者にも簡単に区別できる。また更衣の際、時間の短縮の効果も表れる。
【図面の簡単な説明】
【図１】  本発明の要部拡大の正面図
【図２】  図１の要部拡大図
【符号の説明】
（１）ボタン（２）ボタンホール
（３）ボタン（４）ボタンホール
（５）ボタン（６）ボタンホール
（７）ボタン（８）ボタンホール
（９）服体
【図１】
2006265803.tif 000003
【図２】
2006265803.tif 000004
(57)【要約】【課題】  ゴルフ、野球、テニス、自転車、バイクあるいは釣り等の際に着用するスポーツ手袋の掌側に衝撃吸収ノンスリップ素材を縫着し、クラブ、バット、ラケット等のインパクト時の衝撃を吸収し、なおかつ滑り止めの効果も持つ手袋を提供する。【解決手段】  掌側の小指、薬指、中指の部分又は、掌部の指の根元部分に発泡ゴム（通称ネオプレインゴム）を縫着してクラブ、バット、ラケットのインパクト時の衝撃を発泡ゴム素材にて吸収させる。またグリップ時の操作向上のために５の小判状の穴を開け関節部分の操作性を確保してある。【選択図】  図２
2006265804.tif 000002
【特許請求の範囲】
【請求項１】
人工皮革、合成皮革、天然皮革を主体として構成し、掌部の中指、薬指、小指にかけて衝撃吸収素材及び滑り止め素材を縫着したスポーツ手袋。
【請求項２】
人工皮革、合成皮革、天然皮革を主体として構成し、掌部の指の付け根部分一帯に衝撃吸収素材及び滑り止め素材を縫着したスポーツ手袋。
【発明の詳細な説明】
【技術分野】
【０００１】  本考案は、ゴルフ、野球、テニス、自転車、バイクあるいは釣りの際に着用するスポーツ手袋の指の掌部に衝撃を吸収する発泡ゴムを取り付けて、インパクトの際の手首や肘の衝撃を和らげ腱鞘炎やテニスエルボーといった筋肉痛や関節炎を軽減するグローブに関する。
【背景技術】
【０００２】  近年ゴルフクラブ、野球バット、テニスラケットは素材の開発が進みより軽量になりより遠くへ、力強い打球を飛ばすことが可能になったが、手袋はより薄く、しなやかに素肌に近い方向に進みボールを打ったときの衝撃はより強く筋肉や関節に響き腱鞘炎や関節痛が多発するようになった。
【発明の開示】
【発明が解決しようとする課題】
【０００３】  元来衝撃吸収素材や滑り止め（ノンスリップ）効果を持たせるために、掌側に２重に素材を使用しプレーヤーの動きや感覚を鈍らせる問題がある。【０００４】  ゴルフ、野球、テニスなど球技スポーツにおいて、クラブ、バット、ラケットなど素材開発が進んでいるが、その衝撃は人体に帰ってくる問題がある。【０００５】  また、衝撃を吸収させるにあたってプレーヤーの感覚を失わずに元来使用している手袋の掌部を一体化させその効果を持たせることにした。
【課題を解決するための手段】
【０００６】  小指、薬指、中指の掌部  図２−２、掌部の指の根元  図３−２に２ｍ／ｍ前後の発泡ゴム（通称ネオプレインゴム）を縫着してインパクトの際の衝撃を和らげる効果のあるグローブ。【０００７】  発泡ゴムの裏側には伸縮性のあるナイロンジャージ図４−６を張り合わせており破れることはない。【０００８】  発泡ゴムの表面図２−２、図３−２は凹凸のエンボス加工がほどこされてありグリップ力を高め、握力の弱い女性や老人でもインパクトでクラブ、バットあるいはラケットが滑ることはない。【０００９】  発泡ゴムは指を折り曲げたときに厚みがあるために邪魔になりグリップ感を失うので関節部分図２−５、図３−５、図４−５に小判状の穴を開けることによってグリップ感を良くしてある。【００１０】  また、同様に発泡ゴムに直径３ｍ／ｍ図２−７の穴を開け操作性、通気性を良くしてある。【００１１】  図１甲側、図２、図３掌側の１の本体部分は天然皮革、合成皮革、人工皮革を使用しても差し支えない。【００１２】  図２掌側の３は２重補強になっておりグリップエンドでの摩擦に対して強くしてある。【００１３】  丈夫な素材によってはこの２重補強をしなくてもよい。【００１４】  図１（甲側）の４はカラー等のデザイン性を増やすために伸縮性のあるナイロントリコットを使用してあるが１と同じ天然皮革、合成皮革、人工皮革を使用してもよい。
【発明の効果】
【００１５】  以上説明したように、本発明のスポーツ手袋によれば、インパクト時の衝撃吸収やグリップ感（握持感）、操作性を向上し、この結果、腱鞘炎や関節炎の発生を軽減させることができ、なおかつプレーの感覚を失わずに使用することが可能である。
【発明の実施するための最良の形態】
【００１６】  図２−２に示すように小指、薬指、中指の掌部に２ｍ／ｍ前後の発泡ゴム（通称ネオプレインゴム）を縫着する。
【００１７】  または、図３−２に示すように掌部の指の根元部分に２ｍ／ｍ前後の発泡ゴム（通称ネオプレインゴム）を縫着する。
【図面の簡単な説明】
【００１８】
【図１】  本考案衝撃吸収ノンスリップグローブの甲側を示す図である。
【図２】  衝撃吸収ノンスリップグローブ掌側を示す図である。
【図３】  衝撃吸収ノンスリップグローブ掌側を示す図である。
【図４】  衝撃吸収ノンスリップ素材の断面を示す図である。
【符号の説明】
【００１９】  １  本体素材
２  発泡ゴム素材
３  補強素材
４  ナイロントリコット素材
５  小判状穴
６  ナイロンジャージ素材
【図１】
2006265804.tif 000003
【図２】
2006265804.tif 000004
【図３】
2006265804.tif 000005
【図４】
2006265804.tif 000006
(57)【要約】      （修正有）【課題】ベルトをピッタリ装着すると、体勢の変化や飲食後は、腹部への圧迫負担があり、その都度ベルト調整が必要であった。これらの問題を解消して快適に装着できるようにする。【解決手段】ベルト本体１とバックル２のあいだに、伸縮ベルト３を取付け、腹部への負担をなくすようにする。【選択図】図２
2006265808.tif 000002
【特許請求の範囲】
【請求項１】
本発明は、ズボン用ベルトの一部に、伸縮機能を、もたせて体勢の変化、飲食後などで、腹部への圧迫感を軽減させベルト調整が不要で、快適に装着できるようにしたものである。
【請求項２】
本発明は、ズボン用ベルトだけの効用でなく、ウエストポーチ、若しくは、ウエストバックも、それに準じる。
【発明の詳細な説明】
【技術分野】
【０００１】本発明は、体勢の変化や飲食時の腹部への圧迫感を軽減させるため、ベルトの一部を伸縮させ、快適に装着できるようにしたものである。
［背景技術］【０００２】従来は、伸縮機能のついた、ズボン用ベルトはなかった。
［発明の開示］
［発明が解決しようとする課題］【０００３】ベルトをピッタリ装着すると、飲食時や体勢の変化では、腹部周りが圧迫され、そのつどベルト調整が必要であった。
本発明は、この課題を解消するためになされたものである。
［課題を解決するための手段］【０００４】ベルトで、腹部が圧迫されないよう、ベルト本体１とバックル２のあいだに、伸縮ベルト３を取り付けた。
［発明の効果］【０００５】ベルト部分３が、伸縮するので、体勢の変化や飲食時などで、腹部周りが圧迫されることがない。特に、お腹のでた中高年には、快適に装着できる。また伸縮部分は、ベルトの裏側になるため、ファッション性も損なわれない。
［実施例１］【０００６】
【図面の簡単な説明】
【０００７】［図１］
ベルト本体から、バックルを取り外した状態の平面図である。
［図２］
本発明の使用状態を示す平面図である。
【符号の説明】
【０００８】  １  ベルト本体
２  バックル
３  伸縮ベルト部分
【図１】
2006265808.tif 000003
【図２】
2006265808.tif 000004
(57)【要約】【課題】  水に溶解することもなく、その成分が水に溶出することが防止された配管接続用潤滑剤の提供。【解決手段】  菜種油、牛脂硬化油、ポリブテン、および流動パラフィンからなる潤滑剤である。潤滑剤をクリーム状で耐凍性に優れたものとする場合には、菜種油３５〜５５重量部、牛脂硬化油５〜１５重量部、ポリブテン５〜１５重量部、および流動パラフィン３０〜４０重量部を混合して製造すると良い。【選択図】  なし【特許請求の範囲】
【請求項１】
菜種油、牛脂硬化油、ポリブテン、および流動パラフィンからなる非水溶性配管接続用潤滑剤。
【請求項２】
菜種油３５〜５５重量部、牛脂硬化油５〜１５重量部、ポリブテン５〜１５重量部、および流動パラフィン３０〜４０重量部を混合したクリーム状の非水溶性配管接続用潤滑剤。
【発明の詳細な説明】
【技術分野】
【０００１】
本発明は、配管同士を接合する際の摩擦を低減する潤滑剤に関するものである。
【背景技術】
【０００２】
農業用水や上下水道等においては、複数の配管を接合することで、供給・排出目的物の流路を形成することが行なわれている。配管には、軽量で軟弱地盤にも有利であって、熱伸縮が小さく、耐震性、耐食性、耐摩耗性に優れ、その上、電食の心配のない強化プラスチック複合管が多用されており、ゴム輪を備えたものが使用されている。
【０００３】
図１は、配管の接続の一例を説明するための断面図である。図示の配管は、両端がテーパ状に面取りされた円筒管である本体部1と、本体部１の外径よりやや大径の内径に設定されているカラー２と、カラー２の内周面に接着されたゴム輪３とからなり、本体部１がゴム輪３内に圧入されたものである。この配管のゴム輪３は、軸方向両端近傍に峰状のリップ３ａを周方向に設け、更に、中央に本体部１の圧入を阻止するストッパ３ｂを周方向に設けている。リップ３ａが軸方向内向きに傾斜しているので、本体管１の圧入は容易で、抜き出し困難となっている。このような配管を連結することにより、配管の接合が行なわれるが、レバーブロックを使用して連結が行なわれ、接合の際には本体管１とゴム輪３との大きな摩擦が生じることになる。
【０００４】
このような摩擦を低減するために、接続前のゴム輪３の内周や配管２の外周に潤滑剤を塗りつけることが行なわれる。このとき使用する潤滑剤としては、例えば、特許文献１にポリアクリル酸のアルカリ金属塩の水溶液を主成分とする潤滑剤が、特許文献２に脂肪族ジカルボン酸塩、増粘剤および多価アルコールを含有する潤滑剤が、特許文献３に脂肪酸グリセリド、ケイ酸塩および／又はアルミニウム塩からなる増粘剤、並びに多価アルコールを配合した潤滑剤が開示されている。
【特許文献１】特開昭５３−３１０６６号公報（特許請求の範囲）
【特許文献２】特開昭５３−７９１６３号公報（特許請求の範囲）
【特許文献３】特公昭６２−１４５９７号公報（特許請求の範囲）
【発明の開示】
【発明が解決しようとする課題】
【０００５】
上記特許文献１および２に開示されている潤滑剤は、水溶性である。一方の特許文献３に記載されている潤滑剤は、その成分に水溶性の多価アルコールが含有されているので、水と長時間接触した潤滑剤から多価アルコールが溶出する蓋然性がある。そのため、各特許文献に記載されている潤滑剤を雨天時の屋外や水中で長時間露呈した後に用いると、配管接続を行うに際して支障が生じることになる。従って、潤滑剤およびその内容成分が非水溶性の潤滑剤が求められている。
【０００６】
その他の潤滑剤の性質には、寒冷地で固化して使用不能とならない耐凍性や、塗布された潤滑剤が垂れ落ちるような流動性がないことが求められている。流動性については、直管部の内径が３０００ｍｍ程度の大口径の配管も使用される実情から、潤滑剤の塗布作業中や塗布後に垂れ落ちて塗布斑が生じることがない非流動性が求められている。
【０００７】
上述のような事情に鑑み、本発明は、少なくとも内容成分が水に溶出することもない非水溶性の潤滑剤を提供することを目的とするものである。
【課題を解決するための手段】
【０００８】
本発明者は、特定の化合物を配合して製造された潤滑剤が水に溶解することもなく、さらに内容成分が水に溶出することもないことを見出し本発明を完成するに至った。即ち、本発明は、菜種油、牛脂硬化油、ポリブテン、および流動パラフィンからなる非水溶性配管接続用潤滑剤である。
【０００９】
前記潤滑剤は、菜種油３５〜５５重量部、牛脂硬化油５〜１５重量部、ポリブテン５〜１５重量部、流動パラフィン３０〜４０重量部を混合したものであることが、潤滑剤がクリーム状となって好適である。
【発明の効果】
【００１０】
上記のように構成された発明によれば、内容成分が溶出することもない非水溶性の潤滑剤となり、潤滑剤成分が上記所定の濃度であるときには、クリーム状で、耐凍性に優れたものとなって、配管への均一な塗布を阻害する塗布後の垂れ落ちがなく、寒冷地においても使用することが可能な潤滑剤となる。
【発明を実施するための最良の形態】
【００１１】
以下、本発明を実施形態に基づいて詳細に説明する。本実施形態における潤滑剤は、環境に適した植物系油脂の一種である菜種油、動物系油脂に由来する牛脂硬化油、ポリブテン、および流動パラフィンを成分としており、これらの化合物を混合することにより製造される。製造における混合手順は、特に指定されるものではない。
【００１２】
潤滑剤の製造においては、菜種油が３５〜５５重量部、牛脂硬化油が５〜１５重量部、ポリブテンが５〜１５重量部、および流動パラフィンが３０〜４０重量部とされていると良い。この成分重量であるとき、潤滑剤は、クリーム状の耐凍性に優れたものとなる。
【００１３】
ポリブテンは、４０℃の動粘度が２５００〜４５００cStのものであると良く、好ましくは、３０００〜４０００cStである。
【００１４】
流動パラフィンは、４０℃の動粘度が５０〜８５cStのものであると良く、好ましくは、６０〜７５cStであり、更に好ましくは、６５〜７０cStである。
【実施例】
【００１５】
以下、本発明を実施例をもとに具体的に示すが、本発明はこれらに限定されるものではない。
【００１６】
菜種白絞油４５ｇ、牛脂硬化油１０ｇ、４０℃の動粘度が３４５０cStのポリブテン１０ｇ、４０℃の動粘度が６７．９３cStの流動パラフィン３５ｇを攪拌混合することによりクリーム状の潤滑剤を得た。この潤滑剤は、液垂れなく配管に均一に塗布することが可能であり、水に溶解することもなく、配管の接続に使用する際の潤滑剤として十分に機能を発揮していたことが確認されている。
【図面の簡単な説明】
【００１７】
【図１】配管の接続の一例を説明するための断面模式図である。
【符号の説明】
【００１８】
嵌入管  ２
ゴム輪  ３
【図１】
2006265316.tif 000002
(57)【要約】【課題】軒樋曲がり継手に集水機能を付与し、家屋のコーナー部で竪樋に雨水を落とすことが可能な曲がり集水器を提供する。【解決手段】家屋のコーナー部に設けられる平面視略Ｌ字型の軒樋の曲がり集水器であって、該曲がり集水器Ａは両側壁１１と底壁１２とにより断面が略Ｕ字状をなす軒樋接続部１と、該軒樋接続部１が交差する曲がり交差部２とからなり、この曲がり交差部２の略中央部には落とし口３が設けられ、この落とし口３を構成する円筒部が竪樋接続部４とされた曲がり集水器Ａ。上記曲がり交差部２の底面を段階的に絞って落とし口３を設けるとともに、最下段を構成する円筒部が竪樋接続部４とされることが好ましい。【選択図】図１
2006265979.tif 000002
【特許請求の範囲】
【請求項１】
家屋のコーナー部に設けられる平面視略Ｌ字型の軒樋の曲がり集水器であって、該曲がり集水器は両側壁と底壁とにより断面が略Ｕ字状をなす軒樋接続部と、該軒樋接続部が交差する曲がり交差部とからなり、この曲がり交差部の略中央部には落とし口が設けられ、この落とし口を構成する円筒部が竪樋接続部とされた曲がり集水器。
【請求項２】
上記曲がり交差部の底面を段階的に絞って落とし口を設けるとともに、最下段を構成する円筒部が竪樋接続部とされた請求項１に記載の曲がり集水器。
【請求項３】
上記軒樋接続部を両軒樋に外嵌して接続する請求項１に記載の曲がり集水器。
【発明の詳細な説明】
【技術分野】
【０００１】
本発明は、家屋のコーナー部に設けられる曲がり集水器に関する。
【背景技術】
【０００２】
従来、家屋のコーナー部で軒樋どうしを接続する軒樋曲がり継手に関しては種々の技術が公知である。例えば、下記特許文献１には、夏冬、昼夜のように寒暖温度差による軒樋の伸縮に伴う破損防止が図られた軒樋曲がり継手が開示されている。
【特許文献１】特開平１１−２２９５７２号公報（第１〜３頁、第１図）
【発明の開示】
【発明が解決しようとする課題】
【０００３】
上記特許文献１には、温度差による軒樋の伸縮を軒樋曲がり継手の曲がり交差部上部の内側側壁に屈曲部を膨出させ、バネ弾発性により応力集中を避け、割れや亀裂等の防止を図った軒樋曲がり継手が提案されている。本発明は上記問題を解決するとともに、上記軒樋曲がり継手にさらに雨水の落とし口を設けて集水機能を付与し、家屋のコーナー部で竪樋に雨水を落とすことが可能な曲がり集水器を提供することを、その課題とする。
【課題を解決するための手段】
【０００４】
上記課題を解決するために、本発明においては、つぎのような技術的手段を講じている。すなわち、本発明によれば、家屋のコーナー部に設けられる平面視略Ｌ字型の軒樋の曲がり集水器であって、該曲がり集水器は両側壁と底壁とにより断面が略Ｕ字状をなす軒樋接続部と、該軒樋接続部が交差する曲がり交差部とからなり、この曲がり交差部の略中央部には落とし口が設けられ、この落とし口を構成する円筒部が竪樋接続部とされた曲がり集水器が提供される。
【０００５】
上記曲がり交差部の底面を段階的に絞って落とし口を設けるとともに、最下段を構成する円筒部を竪樋接続部とすることが好ましい。また、上記軒樋接続部を両軒樋に外嵌して接続することが好ましい。
【発明の効果】
【０００６】
請求項１に記載の発明は上記のとおりであり、家屋のコーナー部に設けられる曲がり集水器であって、軒樋接続部と該軒樋接続部が交差する曲がり交差部とからなり、この曲がり交差部の略中央部には落とし口が設けられているため、軒樋を接続する曲がり継手と、両軒樋からの雨水を集めて竪樋に落とす集水器の機能とを併せ持つ曲がり集水器を提供することができる。
【０００７】
上記曲がり交差部の底面を段階的に絞って落とし口を設けるとともに、最下段を構成する円筒部が竪樋接続部とされているため、段絞りにすることによって家屋のコーナー部の上部に見栄えよく本発明の曲がり集水器を取り付けることが可能となり、また、作業性よく竪樋を接続することができる。また、接着剤等を使用することなく、上記軒樋接続部を単に両軒樋に外嵌して接続するため、寒暖の温度差による軒樋の伸縮を上記軒樋接続部の底壁の上で自在に逃すことができる。
【発明を実施するための最良の形態】
【０００８】
以下、本発明の実施形態について図面を参照して、詳細に説明する。図１は、本発明にかかる曲がり集水器Ａを示す外観斜視図である。図１からよくわかるように、平面視略Ｌ字型の曲がり集水器Ａは、両側壁１１と底壁１２とにより断面が略Ｕ字状をなす軒樋接続部１と、該軒樋接続部１が交差する曲がり交差部２と
からなり、曲がり交差部２の略中央部には落とし口３が設けられている。
【０００９】
図２は家屋のコーナー部において軒樋５に本発明の曲がり集水器Ａを外嵌した状態を示す側面図であり、図３は上記曲がり集水器Ａを軒樋５に外嵌した状態を示す平面図である。図２から、曲がり交差部２の底面を段階的に絞って落とし口３が設けられていることが明らかである。
【００１０】
このように、段絞りにすることによって家屋のコーナー部の上部に見栄えよく曲がり集水器Ａを取り付けることができる。また、上記落とし口３を構成する最下段の円筒部を竪樋接続部４とすることにより、図示しない竪樋を容易に接続することができる。
【００１１】
また、図２、図３によく示されているように、両軒樋５には上記曲がり集水器Ａの軒樋接続部１が単に外嵌しているのみであり、寒暖の温度差による軒樋５の伸縮を上記軒樋接続部１の底壁１２の上で自在に逃すことができる。このように、本発明を実施することにより、温度差による軒樋５の伸縮を吸収する曲がり継手と、家屋のコーナー部で両方の軒樋からの雨水を集めて竪樋に落とす集水器の機能とを併せ持つ曲がり集水器Ａを提供することができる。
【図面の簡単な説明】
【００１２】
【図１】本発明にかかる曲がり集水器を示す外観斜視図である。
【図２】本発明にかかる曲がり集水器を軒樋に外嵌した状態を示す側面図である。
【図３】本発明にかかる曲がり集水器を軒樋に外嵌した状態を示す平面図である。
【符号の説明】
【００１３】
Ａ          本発明にかかる曲がり集水器
１          軒樋接続部
１１        側壁
１２        底壁
２          曲がり交差部
３          落とし口
４          竪樋接続部
５          軒樋
【図１】
2006265979.tif 000003
【図２】
2006265979.tif 000004
【図３】
2006265979.tif 000005
(57)【要約】【課題】貯水ボールの中央底部に排水管を有し上縁近くにオーバーフロー管を有しオーバーフロー管は排水管に合流してなる貯水器において、貯水ボールの止水栓を開いたとき、水がオーバーフロー管を逆流し排水の支障が生じることを解消することをその課題とする。【解決手段】本発明の貯水器は、貯水ボールの底部に排水管を有し上縁近くにオーバーフロー管を有しオーバーフロー管は排水管に合流してなる貯水器において、オーバーフロー管に垂直降下管部を設け、排水管を水平方向に湾曲させて合流管部を形成し、該合流管部を該垂直降下管部に接続合流させ排水可能にしてなることを特徴とする。【選択図】図１
2006265978.tif 000002
【特許請求の範囲】
【請求項１】
貯水ボールの底部に排水管を有し上縁近くにオーバーフロー管を有しオーバーフロー管は排水管に合流してなる貯水器において、オーバーフロー管に垂直降下管部を設け、排水管を水平方向に湾曲させて合流管部を形成し、該合流管部を該垂直降下管部に接続合流させ排水可能にしてなることを特徴とする貯水器。
【請求項２】
前記合流管部は下方傾斜管形状としたことを特徴とする請求項１記載の貯水器。
【発明の詳細な説明】
【技術分野】
【０００１】
本発明は貯水ボールの底部に排水管を有し上縁近くにオーバーフロー管を有しオーバーフロー管は排水管に合流してなる貯水器に関する。
【背景技術】
【０００２】
洗面ボールを代表例として用いられる従来の貯水器は、図３に示すように半球状の貯水ボール１０はその中央底部に排水口２０を有しその上縁近くにオーバーフロー口３０を有し、排水口２０には垂直管形状の配水管４０が接続され、その配水管４０の下部にはトラップ管６０が連設され、オーバーフロー口３０には軸方向断面略半円状のオーバーフロー管５０の上端が接続され、そのオーバーフロー管５０の下端は配水管４０に接続されるものが知られている。かかる貯水器に近似するものは特許文献１にある。
【特許文献１】実開平５−４７０６８号公報
【発明の開示】
【発明が解決しようとする課題】
【０００３】
上記従来の貯水器は、排水口２０を止水栓（図示しない）で止水し満水状態から止水栓を開いたとき、水がオーバーフロー管５０を逆流し排水に支障がある場合があった。特にトラップ管６０に少々のつまりがある場合に排水管４０からオーバーフロー管５０に逆流しやすかった。本発明は、かかるオーバーフロー管５０への逆流を防止し円滑な排水を可能にした貯水器を提供することをその課題とする。
【課題を解決するための手段】
【０００４】
上記課題を解決するために、本発明に係る貯水器の第一の特徴構成は、請求項１に記載した如く、オーバーフロー管に垂直降下管部を設け、排水管を水平方向に湾曲させて合流管部を形成し、該合流管部を該垂直降下管部に接続合流させ排水可能にした点にある。
【０００５】
同第二の特徴構成は、請求項２に記載した如く、第一の特徴構成に加えて、合流管部は下方傾斜管とした点にある。
【発明の効果】
【０００６】
請求項１に記載の貯水器は、前記構成であるから、オーバーフロー管への逆流を防止し円滑な排水を可能にできる効果がある。すなわちオーバーフロー管の垂直降下管部で排水管が合流するので、排水時の水流が十分排水管内にいきわたった状態でオーバーフロー管に合流でき、オーバーフロー管に逆流しにくい。またオーバーフロー管が従来のごとく傾斜管形状でなく垂直降下管形状であるのでオーバーフロー管に逆流しにくい。
【０００７】
請求項２に記載の貯水器は、さらにオーバーフロー管への逆流を防止し円滑な排水を可能にできる効果がある。すなわち合流管部は下方傾斜管としたので、合流角度は鋭角になり下方に流れやすくなりオーバーフロー管に逆流しにくい。
【発明を実施するための最良の形態】
【０００８】
以下、本発明の実施形態について図面を参照して、詳細に説明する。図１は本発明に係る貯水器の第一実施例を示すものである。図において、１は半球状の貯水ボールであり、その底部中央に排水口２を有しその上縁近くにオーバーフロー口３を有している。４は垂下管部４ａと水平管部４ｂとで略Ｌ字型に形成される配水管であり、垂下管部４ａの上端は上記排水口２に接続され、水平管部４ｂの下端は後述するオーバーフロー管５の垂直降下管部５ｂに接続する合流管部４ｃを有している。５は上記オーバーフロー口３に接続する接続管部５ａと垂直降下管部５ｂとよりなるオーバーフロー管であり、垂直降下管部５ｂの下端には蛇行形状のトラップ管６が接続される。そして垂下管部４ａを長くとれば、オーバーフロー口３と合流管部４ｃとの水位差Ｈは従来よりも十分大きくなるよう設定可能である。なお各管の接続部は管継手やナットが用いられるが一般的な構成であるので省略している。
【０００９】
図２は本発明に係る貯水器の第二実施例を示すものである。該第二実施例と第一実施例との差異は、水平管部４ｂの下端が若干降下する下方傾斜管形状とした第一の点と、合流管部４ｃはオーバーフロー管５の垂直降下管部５ｂに直接接続せず、別部品であるトラップ管６の垂直降下管部６ａに接続させたものである第二の点にある。第一の点は下方傾斜管形状としているから、オーバーフロー管５に逆流しにくい点で好ましいことを示している実施例である。第二の点は、垂直降下管部６ａと垂直降下管部５は実質的に同一であることを示している実施例である。なお図番が第一実施例と同一のものは説明を省略する。
【図面の簡単な説明】
【００１０】
【図１】本発明にかかる貯水器の第一実施例を示す模式断面図。
【図２】本発明にかかる貯水器の第二実施例を示す模式断面図。
【図３】本発明にかかる貯水器の従来例を示す模式断面図。
【符号の説明】
【００１１】
１      貯水ボール
２      排水口
３      オーバーフロー口
４      配水管
４ａ    垂下管部
４ｂ    水平管部
４ｃ    合流管部
５      オーバーフロー管
５ａ    接続管部
５ｂ    垂直降下管部
６      トラップ管
６ａ    垂直降下管部
１０    貯水ボール
２０    排水口
３０    オーバーフロー口
４０    配水管
５０    オーバーフロー管
６０    トラップ管
【図１】
2006265978.tif 000003
【図２】
2006265978.tif 000004
【図３】
2006265978.tif 000005
(57)【要約】【課題】  結婚式の披露宴における新しい演出として、鉄隕石入り印鑑の交換セレモニーの演出方法を提供すること。【解決手段】  鉄隕石入り印鑑の交換セレモニーとして、最初に、宇宙の彼方から流れ星が誕生し、銀河系を旅して太陽系に入り、地球に到達して、隕石となって地上に舞い降りるという一連の過程をＤＶＤ録画した動画映像をスクリーンに流し、その後に新郎新婦の間でお互いの鉄隕石入り印鑑を交換し合うセレモニーを行う。【選択図】  なし【特許請求の範囲】
【請求項１】
結婚式の披露宴における新しい演出の一つしとして、鉄隕石入り印鑑の交換セレモニーを行うため、最初に、宇宙の彼方から流れ星が誕生し、銀河系を旅して太陽系に入り、地球に到達して、隕石となって地上に舞い降りるという一連の過程をＤＶＤ録画した動画映像をスクリーンに流し、その後に新郎新婦の間でお互いの鉄隕石入り印鑑を交換し合うセレモニーを行う、結婚式の披露宴における鉄隕石入り印鑑の交換セレモニーの演出方法。
【発明の詳細な説明】
【技術分野】
【０００１】  本発明は、結婚式の披露宴における演出の一つとして行う、鉄隕石入り印鑑の交換セレモニーに関する。
【背景技術】
【０００２】  従来、結婚式の披露宴においては、その演出として、ウエディングケーキのナイフ入刀のセレモニーやキャンドルサービスの点火セレモニー等が行われていた。
【発明の開示】
【発明が解決しようとする課題】
【０００３】  従来の結婚式の披露宴では、ウエディングケーキのナイフ入刀やキャンドルサービスの点火という定番のセレモニーが広く行われていて、マンネリ化している面があった。
本発明は、新しい演出方法の一つとして、鉄隕石入り印鑑の交換セレモニーという演出を提案するものである。
【課題を解決するための手段】
【０００４】  鉄隕石入り印鑑の交換セレモニーとして、最初に、宇宙の彼方から流れ星が誕生し、銀河系を旅して太陽系に入り、地球に到達して、隕石となって地上に舞い降りるという一連の過程をＤＶＤ録画した動画映像をスクリーンに流し、その後に新郎新婦の間でお互いの鉄隕石入り印鑑を交換し合うセレモニーを行う。
【発明の効果】
【０００５】  隕石は、宇宙から地球に降り注ぐ宇宙からの贈物である。地上に到達した隕石の大部分は石の隕石であるが、残り１０％程度が鉄隕石である。鉄隕石は、太陽のような恒星が燃えつきるときにできる一番重い物質で、それは宇宙波動エネルギーが充分蓄積されている物質である。
鉄隕石を身近に置いておくことにより脳波に影響を与え、アルファー波が多く出るといわれ、幸運やつきを呼び寄せる縁起起こしの意味がある。
このような意味を持つ鉄隕石を印鑑に封じ込め、鉄隕石入り印鑑として、これをセレモニーで交換し合うことによって新郎新婦の門出を祝福し、宇宙波動エネルギーの籠った印鑑を使用することで二人の願望を実現する夢を与える。
また、結婚式場にとっても、鉄隕石入り印鑑の交換セレモニーという新しい演出を加えることで新たな収益源ができる。
【発明を実施するための最良の形態】
【０００６】  鉄隕石入り印鑑の交換セレモニーとして、最初に、宇宙の彼方から流れ星が誕生し、銀河系を旅して、それが太陽系に入り、土星を通過して地球に到達し、隕石となって地上に降り注ぐという一連の過程をＤＶＤに録画した動画映像をスクリーンに流す。
映像が終ったら、会場の中から選ばれた１人の子供が白い羽根をつけた天使となって、２組の鉄隕石入り印鑑を携えて入場する。
天使は、新郎に、新婦に渡すべき印鑑を、新婦に、新郎に渡すべき印鑑をそれぞれに渡す。
それから、新郎新婦の間で、１組づつ用意されたお互いの鉄隕石入り印鑑を交換し合うセレモニーを行う。
１組の印鑑は、印鑑本体が印鑑ケースに収められそれがさらに桐箱に収められているので、桐箱に入った印鑑を交換し合った後、桐箱及び印鑑ケースより鉄隕石入り印鑑を取り出して、印鑑本体を会場の人々に披露する。この印鑑は、透明プラスチック体の印鑑の中に鉄隕石が封じ込められているので、鉄隕石入りであることがはっきりわかる。
印鑑は、当然新郎新婦のそれぞれの新しい氏名が刻印されているものである。
また、これに当日の幸運度を計る「ひらめきカード」を組合せ、当日の幸運度を計るというゲームを取り入れると面白い。【０００７】  ＤＶＤ録画映像は、概略下図のような工程で映写され、流れ星が誕生してから宇宙空間を旅して地球にたどり着き、隕石となって舞い降りるまでの様子が連続的な動画として流される。
2006155544.tif 000002
(57)【要約】【課題】一人暮らしの人が病気になったり、怪我をしたり、事件・事故に巻き込まれた時に、周囲の人に気づかれず状況の悪化や死に至ることもある。【解決手段】事前に安否確認サービスを契約している口座開設者の勘定系システム口座に、一定期間以上アクセスが無い場合、口座開設者の安否を、メール、電話等で照会する。それで安否が確認できない場合は、最寄の支店からの担当者の訪問や、警備会社、警察等に、依頼して安否の確認を行う。安否確認の結果、援助が必要なケースには、迅速に対応する。【選択図】図２
2006155541.tif 000002
【特許請求の範囲】
【請求項１】
金融機関の勘定系システムへの取引要求が一定期間以上なかった場合、口座開設者の安否の確認行為と必要な援助を提供するサービス商品
【発明の詳細な説明】
【技術分野】
【０００１】本発明は金融機関の勘定系システムで一定期間以上取引の無い口座の、口座開設者本人の安否確認行為を行い、必要な援助を提供するサービス商品である。
【背景技術】
【０００２】従来の金融機関では口座開設者の安否を確認する手段は持っていないし、サービス商品もない
【発明が解決しようとする課題】
【０００３】一人暮らしの人が病気になったり、怪我をしたり、事件・事故に巻き込まれたりした場合に、そのことが周囲の誰にも知られることなく、従って必要な対処もされず、状況の悪化や時には死に至ることもあった。金融機関としてもそのことに注意を払うこともなく、そのことを防止するためのサービス商品もない。
【課題を解決するための手段】
【０００４】事前に安否確認サービスを契約している口座開設者の勘定系システム口座に、一定期間以上アクセスが無い場合、口座開設者の安否を本人、または周囲の人に、メール、電話等で照会する。それで安否が確認できない場合は、最寄の支店からの担当者の訪問や、警備会社、警察等に依頼して安否の確認を行う。安否確認の結果、援助が必要なケースには迅速に対応する。
【発明の効果】
【０００５】病気や怪我、あるいは事件・事故に巻き込まれた口座開設者への、必要な援助活動が迅速に行えるようになる。今後、一人暮らしの人がますます増えるなかで、金融機関のサービス商品のひとつとなると同時に、安心な社会作りに貢献する。
【発明を実施するための最良の形態】
【０００６】金融機関の勘定系システムに、一定期間以上取引がない口座開設者の安否を、本人、あるいは周囲の人に電話やメール等で照会する。それでも安否が不明の場合、最寄の支店から担当者が訪問したり、警備会社に依頼する。それでも不明の場合は警察に依頼することもある。安否確認のなかで、病院への搬送や家族・親戚・行政への連絡等の援助活動が必要な場合は迅速に対応する。安否確認のルート、方法、順番、主な援助内容等はサービスの契約時、口座開設者個々の事情を考慮して決めておく。
【図面の簡単な説明】
【０００７】
【図１】安否確認サービス契約者の勘定系アクセスイメージ図
【図２】安否確認サービス処理フロー例（抜粋）
【符号の簡単な説明】
▲１▼  安否確認サービス契約者の取引依頼から回答までの電文の流れ例
【図１】
2006155541.tif 000003
【図２】
2006155541.tif 000004
(57)【要約】【課題】  従来の昼間の電力を押えるようにした自動販売機は、庫内の温度を設定温度以下に保つのは短時間であり、タイマーより優先する温度管理サーモにより冷却コンプレッサー起動してしまい、昼間の電力を押える効果は少ない【解決手段】  本発明は、冷却コンプレッサー１０を止めた後  庫内２を設定温度以下に保つ為の貯水兼貯氷タンク３を持ち  小電力で長時間の保冷が保てるように、蓄熱量の大きな氷の融解熱を利用したものである。  夜間の電力で自動販売機の庫内２を冷却すると共に  氷を製造し貯水兼貯氷タンク３に保存する。  昼間は、貯水兼貯氷タンク３に保存した氷の融解熱で保冷し  長時間に渡り冷却コンプレッサー１０を止めて電力を押える。【選択図】  図  ２
2006155543.tif 000002
【特許請求の範囲】
【請求項１】
冷却システムの一部に  氷を使用した自動販売機。
【請求項２】
夜間に電力を使用して氷を製造し保存する。昼間はその保存した氷の融解熱を利用して  自動販売機の庫内を冷却するようにした自動販売機。
【発明の詳細な説明】
【技術分野】
【０００１】  本発明は、夜間に電力を使用して冷却すると共に  氷を製造し保存する。昼間はその保存した氷の融解熱を利用して  自動販売機の庫内を冷却し昼間の電力を最小限にした自動販売機。
【背景技術】
【０００２】  従来の氷の融解熱を利用したものには、エコアイスと呼ばれている冷房システムが有る。
【発明の開示】
【発明が解決しようとする課題】
【０００３】  従来の昼間の電力を押えるようにした自動販売機は、販売商品の温度を通常の設定温度より低く設定し、タイマーにより冷却コンプレッサーを止め  電力を押えた物である。しかし  自動販売機の庫内の温度を設定温度以下に保つのは短時間であり、タイマーより優先する温度管理サーモにより起動してしまい、昼間の電力を押える効果は少ない。
【課題を解決するための手段】
【０００４】  本発明は、冷却コンプレッサーを止めた後  庫内を設定温度以下に保つ為の保冷機能を持ち  小電力で長時間の保冷が保てるように、蓄熱量の大きな氷の融解熱を利用したものである。
夜間の電力で自動販売機の庫内を冷却すると共に  氷を製造し保存する。
昼間は、保存した氷の融解熱で保冷し  長時間に渡り冷却コンプレッサーを止めて電力を押える。
【発明の効果】
【０００５】  従来は、自動販売機の断熱効果を高め  冷却コンプレッサーを止めた後の保冷は、販売商品を通常より低温にして  通常温度に上がるまでの時間を長くしただけで、保冷機能を持たない為、その効果はわずかである。
本発明は、保冷機能を持ち  その保冷熱源として氷の融解熱を利用している為  コンパクトで長時間の保冷が可能になり  昼間の電力を押えることが出来る。
【発明を実施する為の最良の形態】
【実施例】
【０００６】  自動販売機の下部に  貯水兼貯氷タンク３を設置する。
この貯水兼貯氷タンク３の中に  冷却ユニット１１を設ける。
又この貯水兼貯氷タンク３の中に  氷から空気に熱交換する為の熱交換ダクト６を設ける。
夜間はタイマーにより冷却コンプレッサー１０を起動して氷を作り保存する。
昼間は、タイマーにより冷却コンプレッサー１０を止め  冷気送風ファンモーター９を回し保冷する。
冷却コンプレッサー１０の動作は、温度管理サーモによりタイマーに優先して制御され  自動販売機の庫内２の温度を調整する。
又  貯水兼貯氷タンク３を自動販売機の下部に設置することにより自動販売機の重心が低くなり安定する作用が付加される。
【産業上の利用可能性】
【図面の簡単な説明】
【０００７】
【図１】  「自動販売機内部の正面図」
【図２】  「自動販売機内部を  Ａ−Ｂで切断した断面図」
【符号の説明】
【０００８】  １    外枠
２    庫内
３    貯水兼貯氷タンク
４    氷（水）
５    送風ダクト
６    熱交換ダクト
７    送風口
８    冷気の流れ
９    冷気送風ファンモーター
１０    コンプレッサー
１１    冷却ユニット
【図１】
2006155543.tif 000003
【図２】
2006155543.tif 000004
(57)【要約】【課題】  不要なメール・アドレスを登録する機能を備えた携帯電話、特に、記録容量に限界のある登録機能を有効に利用し、かつ、不要なメールのアカウント部の電話番号も有効利用することができる携帯電話を提供する。【解決手段】  表示手段、操作手段、記憶手段、時間管理手段及び制御手段を搭載し、不要なメール・アドレスを登録する拒否対象の選択手段と、該拒否対象を記憶する記憶手段を設け、必要に応じて記憶手段の容量がオーバーする際、最終アクセスの古いものから削除して行く手段を設けてもよい。【選択図】  図１
2006155538.tif 000002
【特許請求の範囲】
【請求項１】
表示手段、操作手段、記憶手段、時間管理手段及び制御手段を搭載した携帯電話において、不要なメール・アドレスを登録する拒否対象の選択手段と、該拒否対象を記憶する記憶手段を備えたことを特長とする携帯電話。
【請求項２】
前記記憶手段の容量がオーバーする際、最終アクセスの古いものから削除して行く手段を備えたことを特徴とする請求項１記載の携帯電話。
【請求項３】
前記不要なメール・アドレスのアカウント部が電話番号から成る場合には、電話の着信拒否電話番号として保存する手段を備えたことを特徴とする請求項１または２記載の携帯電話。
【発明の詳細な説明】
【技術分野】
【０００１】  本発明は、不要なメール・アドレスを登録する機能を備えた携帯電話、特に、登録機能の有効性を高めることが可能な携帯電話に関するものである。
【背景技術】
【０００２】  現状の携帯電話でも、不要なメール・アドレスを電話会社に登録することで、不要メールの着信拒否を行うことは可能である。
また、特許文献１には、不正着信を残すことができる携帯電話装置およびその着信拒否方法が開示されている。
【特許文献１】  特開２００４−４８２６４号公報
【発明の開示】
【発明が解決しようとする課題】
【０００３】  前記背景技術では、記録容量に限界のある登録機能を有効に利用出来ないことがある。
また、不要なメールのアカウント部が電話番号である場合に、これらの情報が有効利用することが出来ない。
そこで、本発明は前述の問題点を解決し、記録容量に限界のある登録機能を有効に利用し、かつ、不要なメールのアカウント部の電話番号も有効利用することができる携帯電話を提供するものである。
【課題を解決するための手段】
【０００４】  請求項１の携帯電話は、表示手段、操作手段、記憶手段、時間管理手段及び制御手段を搭載し、不要なメール・アドレスを登録する拒否対象の選択手段と、該拒否対象を記憶する記憶手段を備えている。
請求項２の携帯電話は、前述記憶手段の容量がオーバーする際、最終アクセスの古いものから削除して行く手段を備えている。
請求項３の携帯電話は、前記不要なメール・アドレスのアカウント部が電話番号から成る場合に、電話の着信拒否電話番号として保存する手段を備えている。
【発明の効果】
【０００５】  請求項１の発明は、不要なメール・アドレスを登録する拒否対象の選択手段と、該拒否対象を記憶する記憶手段を備えているので、不要なメールを開封する手間がなくなる。
請求項２の発明は、前述記憶手段の容量がオーバーする際、最終アクセスの古いものから削除して行く手段を備えているので、拒否機能の有効性を確保できる。
請求項３の携帯電話は、前記不要なメール・アドレスのアカウント部が電話番号から成る場合に、電話の着信拒否電話番号として保存する手段を備えているので、当該電話番号からの電話に出ることを防止できる。
【発明を実施するための最良の形態】
【０００６】  請求項１乃至３の発明を含む図１乃至３を用いて、本発明の実施の形態について説明する。
図１は不要メール設定処理のフロー・チャート、図２は不要メール設定処理起動時のフロー・チャート、図３は本発明の携帯電話機の主要構成を示すブロック図である。【０００７】  請求項１乃至３の携帯電話は図３に示すように、液晶パネル等から成る表示部４、押しボタンまたはタッチ・パネル等から成る操作部５、半導体ＲＡＭ等から成る記憶部６、タイマ機能を有する時間管理部７、呼び出し音等を合成するサウンダ８及びＣＰＵ等の制御部３を有し、これらのデータを無線部２、アンテナ１を介してやり取りするものである。【０００８】  請求項１乃至３の発明を起動させるには、まず、図１に示すフロー・チャートの操作が必要になる。
操作部５を通して不要メールの拒否選択をするには、まず、受信メール表題表示１０１をし、続いて、拒否対象の選択１０２を行い、機能メニュー表示１０３から拒否選択１０４を選択し、期間・時間等の拒否条件が無い場合にはメール・アドレスを、メール・アカウント部が電話番号から成る場合には、記憶部６に電話番号保存も行うことで、不要なメール・アドレスのアカウント部が電話番号から成る場合に、電話の着信拒否電話番号として保存する手段と連動させることで、当該電話番号からの電話に出ることも防止できる。
また、期間・時間等の拒否条件が有る場合には、期間入力１０６、時間入力１０７を経由することで、一定条件下での受信も可能である。
なお、期間・時間入力画面には、それぞれ設定スキップを選択できるようにして、どちらもスキップした場合には、単なる拒否扱いでアドレス／電話番号保存１０５に戻る。【０００９】  請求項１乃至３の発明の起動時の工程を、メール受信２０１時の設定処理を例にとると図２に示すフロー・チャートのようになる。
記憶部６の内容を制御部３を介して照合し、拒否登録データと一致２０２したかを判断し、不一致の場合は当該メールを受信トレーに残置３０１し、一致した場合は削除２０３する。
続いて、当該削除日時を記録２０４し、記録容量をオーバー２０５するメールが発生した場合には、メール・アドレスの最終アクセスの古いものから削除４０１する。
このように、記憶部６の容量がオーバーする際、最終アクセスの古いものから削除して行く手段を備えているので、拒否機能の有効性を確保できる。
【図面の簡単な説明】
【００１０】
【図１】  本発明の不要メール設定処理のフローチャートである。
【図２】  本発明の不要メール設定処理起動時のフローチャートである。
【図３】  本発明の携帯電話機の主要構成を示すブロック図である。
【符号の説明】
【００１２】  １    アンテナ
２    無線部
３    制御部
４    表示部
５    操作部
６    記憶部
７    時間管理部
８    サウンダ
【図１】
2006155538.tif 000003
【図２】
2006155538.tif 000004
【図３】
2006155538.tif 000005